【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
ルータが、ユーザのクライアント・コンピューティング・デバイスのユーザ・エージェントからの要求であって、前記ルータを通して通信ネットワークにアクセスするためのアクセス要求を受信する工程であって、前記ルータは、前記通信ネットワークの特定のドメインに関連付けられているエンティティによって管理され、前記ルータは、前記アクセス要求を第１のサーバに送信するようにデフォルトとして構成され、前記アクセス要求は、前記特定のドメインに関連付けられている第２のサーバへの参照を含み、前記特定のドメインは、特定のソーシャル・ネットワーキング・システムに関連付けられており、前記第１のサーバは、前記ユーザが前記通信ネットワークにアクセスすることを認証するように構成される、工程と、
前記ルータが、前記通信ネットワークが前記特定のドメインの前記エンティティによって管理されるという前記ユーザ・エージェントによる決定に基づいて、前記特定のドメインに関連付けられている前記第２のサーバに前記アクセス要求をユーザの入力なしで自動的に送信する工程であって、前記ユーザ・エージェントによる決定は、前記特定のドメインに関連付けられている前記第２のサーバへの参照を含む前記ルータの情報に前記ユーザ・エージェントがアクセスすることに少なくとも部分的に基づき、前記特定のドメインに関連付けられている前記第２のサーバは、前記アクセス要求を前記第１のサーバに送信する代わりに、前記ユーザを認証して、前記通信ネットワークの特定のドメインを通じて、認証された前記ユーザに前記通信ネットワークへのアクセスを提供するように構成される、工程と、
前記ルータが、前記特定のドメインに関連付けられている前記第２のサーバからの前記ユーザが正常に認証されたことを示す標識を受信することに応答して、前記通信ネットワークの前記特定のドメインへのアクセスを前記ユーザ・エージェントに自動的に提供する工程と、を備える方法。
【請求項２】
前記第１のサーバは、前記通信ネットワークのネットワーク・アクセス・ページを前記ユーザ・エージェントに提供するようにさらに構成され、
前記第２のサーバは、前記特定のドメインに関連付けられた情報または前記特定のドメインへのハイパーリンクを備えるウェブ・ビューを提供するようにさらに構成され、前記第２のサーバは、前記第１のサーバとは独立である、請求項１に記載の方法。
【請求項３】
前記アクセス要求を前記第２のサーバに送信する工程は、前記第１のサーバによる前記ユーザの認証をバイパスする、請求項１に記載の方法。
【請求項４】
前記通信ネットワークは、インターネットであり、
前記特定のドメインは、前記インターネットのセカンド・レベル・ドメイン（ＳＬＤ）である、請求項１に記載の方法。
【請求項５】
前記ユーザ・エージェントは、ウェブ・ブラウザである、請求項１に記載の方法。
【請求項６】
前記アクセス要求は、前記ルータによるキャプティブ・ネットワーク・サポートのためのものである、請求項１に記載の方法。
【請求項７】
前記アクセス要求を前記第２のサーバに送信する工程は、前記ルータの前記キャプティブ・ネットワーク・サポートをバイパスする、請求項６に記載の方法。
【請求項８】
前記ルータは、Ｗｉ−Ｆｉアクセス・ポイントである、請求項１に記載の方法。
【請求項９】
ソフトウェアを具現する１以上の非一時的コンピュータ可読記憶媒体であって、実行されたとき、
ユーザのクライアント・コンピューティング・デバイスのユーザ・エージェントからの要求であって、ルータを通して通信ネットワークにアクセスするためのアクセス要求を受信する工程であって、前記ルータは、前記通信ネットワークの特定のドメインに関連付けられているエンティティによって管理され、前記ルータは、前記アクセス要求を第１のサーバに送信するようにデフォルトとして構成され、前記アクセス要求は、前記特定のドメインに関連付けられている第２のサーバへの参照を含み、前記特定のドメインは、特定のソーシャル・ネットワーキング・システムに関連付けられており、前記第１のサーバは、前記ユーザが前記通信ネットワークにアクセスすることを認証するように構成される、工程と、
前記通信ネットワークが前記特定のドメインの前記エンティティによって管理されるという前記ユーザ・エージェントによる決定に基づいて、前記特定のドメインに関連付けられている前記第２のサーバに前記アクセス要求をユーザの入力なしで自動的に送信する工程であって、前記ユーザ・エージェントによる決定は、前記特定のドメインに関連付けられている前記第２のサーバへの参照を含む前記ルータの情報に前記ユーザ・エージェントがアクセスすることに少なくとも部分的に基づき、前記特定のドメインに関連付けられている前記第２のサーバは、前記アクセス要求を前記第１のサーバに送信する代わりに、前記ユーザを認証して、前記通信ネットワークの特定のドメインを通じて、認証された前記ユーザに前記通信ネットワークへのアクセスを提供するように構成される、工程と、
前記特定のドメインに関連付けられている前記第２のサーバからの前記ユーザが正常に認証されたことを示す標識を受信することに応答して、前記通信ネットワークの前記特定のドメインへのアクセスを前記ユーザ・エージェントに自動的に提供する工程と、を行わせるように構成される、媒体。
【請求項１０】
前記第１のサーバは、前記通信ネットワークのネットワーク・アクセス・ページを前記ユーザ・エージェントに提供するようにさらに構成され、
前記第２のサーバは、ネ前記特定のドメインに関連付けられた情報または前記特定のドメインへのハイパーリンクを備えるウェブ・ビューを提供するようにさらに構成され、前記第２のサーバは、前記第１のサーバとは独立である、請求項９に記載の媒体。
【請求項１１】
前記アクセス要求を前記第２のサーバに送信する工程は、前記第１のサーバによる前記ユーザの認証をバイパスする、請求項９に記載の媒体。
【請求項１２】
前記通信ネットワークは、インターネットであり、
前記特定のドメインは、前記インターネットのセカンド・レベル・ドメイン（ＳＬＤ）である、請求項９に記載の媒体。
【請求項１３】
前記ユーザ・エージェントは、ウェブ・ブラウザである、請求項９に記載の媒体。
【請求項１４】
前記アクセス要求は、前記ルータによるキャプティブ・ネットワーク・サポートのためのものである、請求項９に記載の媒体。
【請求項１５】
前記ルータは、Ｗｉ−Ｆｉアクセス・ポイントである、請求項９に記載の媒体。
【請求項１６】
プロセッサと、
前記プロセッサに結合され、ソフトウェアを具現する１以上の非一時的コンピュータ可読記憶媒体と、を備えるルータであって、前記ソフトウェアは、
ユーザのクライアント・コンピューティング・デバイスのユーザ・エージェントからの要求であって、ルータを通して通信ネットワークにアクセスするためのアクセス要求を受信する工程であって、前記ルータは、前記通信ネットワークの特定のドメインに関連付けられているエンティティによって管理され、前記ルータは、前記アクセス要求を第１のサーバに送信するようにデフォルトとして構成され、前記アクセス要求は、前記特定のドメインに関連付けられている第２のサーバへの参照を含み、前記特定のドメインは、特定のソーシャル・ネットワーキング・システムに関連付けられており、前記第１のサーバは、前記ユーザが前記通信ネットワークにアクセスすることを認証するように構成される、工程と、
前記通信ネットワークが前記特定のドメインの前記エンティティによって管理されるという前記ユーザ・エージェントによる決定に基づいて、前記特定のドメインに関連付けられている前記第２のサーバに前記アクセス要求をユーザの入力なしで自動的に送信する工程であって、前記ユーザ・エージェントによる決定は、前記特定のドメインに関連付けられている前記第２のサーバへの参照を含む前記ルータの情報に前記ユーザ・エージェントがアクセスすることに少なくとも部分的に基づき、前記特定のドメインに関連付けられている前記第２のサーバは、前記アクセス要求を前記第１のサーバに送信する代わりに、前記ユーザを認証して、前記通信ネットワークの特定のドメインを通じて、認証された前記ユーザに前記通信ネットワークへのアクセスを提供するように構成される、工程と、
前記特定のドメインに関連付けられている前記第２のサーバからの前記ユーザが正常に認証されたことを示す標識を受信することに応答して、前記通信ネットワークの前記特定のドメインへのアクセスを前記ユーザ・エージェントに自動的に提供する工程と、を行わせる、ルータ。
【請求項１７】
前記第１のサーバは、前記通信ネットワークのネットワーク・アクセス・ページを前記ユーザ・エージェントに提供するようにさらに構成され、
前記第２のサーバは、前記特定のドメインに関連付けられた情報または前記特定のドメインへのハイパーリンクを備えるウェブ・ビューを提供するようにさらに構成され、前記第２のサーバは、前記第１のサーバとは独立である、請求項１６に記載のルータ。
【請求項１８】
前記アクセス要求を前記第２のサーバに送信する工程は、前記第１のサーバによる前記ユーザの認証をバイパスする、請求項１６に記載のルータ。
【請求項１９】
前記通信ネットワークは、インターネットであり、
前記特定のドメインは、前記インターネットのセカンド・レベル・ドメイン（ＳＬＤ）である、請求項１６に記載のルータ。
【請求項２０】
前記ユーザ・エージェントは、ウェブ・ブラウザである、請求項１６に記載のルータ。
【請求項２１】
前記アクセス要求は、前記ルータによるキャプティブ・ネットワーク・サポートのためのものである、請求項１６に記載のルータ。